(57)【要約】【課題】  ごみ投入口が露呈せず見栄えがよく、ごみ箱内部に収容したごみ袋を確実に挟持でき、より多種類のごみの分別を確実に行える分別式ごみ箱を提供する。【解決手段】  ごみ箱１０の上部に下方が開放された複数のごみ投入口２１〜２５が形成された投入アタッチメント２０が整合して嵌合される分別式ごみ箱において、前記投入アタッチメント２０とごみ箱１０との間に、前記投入アタッチメント２０におけるごみ投入口２１〜２５に対応して複数のごみ袋の上縁部が係止される分割アタッチメント３０を介設したことにより、投入アタッチメント２０を介して多種類のごみの分別廃棄が可能になるとともに、分割アタッチメント３０の介設により、汎用のごみ箱を使用して、分別すべき数に応じて準備したごみ袋の上縁部を確実に保持して、多種類のごみの分別が確実に行える。【選択図】  図１
2006327751.tif 000002
【特許請求の範囲】
【請求項１】
上方が開放された適宜形状のごみ箱の上部に下方が開放された複数のごみ投入口が形成された投入アタッチメントが整合して嵌合される分別式ごみ箱において、前記投入アタッチメントとごみ箱との間に、前記投入アタッチメントにおけるごみ投入口に対応して複数のごみ袋の上縁部が係止される分割アタッチメントを介設したことを特徴とする分別式ごみ箱。
【請求項２】
前記ごみ投入口を少なくとも前後２列配設したことを特徴とする請求項１に記載の分別式ごみ箱。
【請求項３】
前記分割アタッチメントが、分別されるべき複数の区画に仕切られた分割枠を有し、これら分割枠間に分割溝が形成されたことを特徴とする請求項１または２に記載の分別式ごみ箱。
【請求項４】
前記各分割枠の周囲に、該分割枠に収納されたごみ袋の上縁部を係止バンドにより係止するための係止バンド用係止溝が形成されたことを特徴とする請求項３に記載の分別式ごみ箱。
【請求項５】
前記投入アタッチメントが、ごみ投入口に対応して分割縦壁により区画されるともに、これらの分割縦壁の下端縁が前記分割アタッチメントにおける分割溝に整合して係合されることを特徴とする請求項１から４のいずれかに記載の分別式ごみ箱。
【請求項６】
前記ごみ箱の内周壁に、前記分割枠に対応してごみ箱を仕切る仕切板用縦溝を形成したことを特徴とする請求項１から５のいずれかに記載の分別式ごみ箱。
【発明の詳細な説明】
【技術分野】
【０００１】
本発明は、上方が開放された適宜形状のごみ箱の上部に下方が開放された複数のごみ投入口が形成された投入アタッチメントが整合して嵌合される分別式ごみ箱に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そのようなことから、ごみ箱の内部を仕切り壁により仕切って、複数種類のごみの分別を可能にしたものが提案された（例えば下記特許文献１および２参照）。
【特許文献１】登録実用新案公報第３０８０２６４号（請求項１および図２参照）
【特許文献２】登録実用新案公報第３０４４５８４号（図１参照）
【発明の開示】
【発明が解決しようとする課題】
【０００３】
前記特許文献１に開示されたごみ箱は、図４に示すように、合成樹脂製のごみ箱本体１０１と、このごみ箱本体１０１の開口部１１０を覆う合成樹脂製の蓋体１０２とを備え、これらごみ箱本体１０１および蓋体１０２が、略平板状に折り畳み可能に構成されたもので、ごみ箱本体１０１の内部空間が仕切り板１３０によって仕切られており、複数のごみ収納部１４０、１４１が形成される。ごみ箱本体１０１および蓋体１０２との接合は、面ファスナー１１６と１５７との係止によりなされる。しかしながら、このごみ箱本体１０１では、分別できるのはせいぜい数種類で限度があった。しかも、合成樹脂製とは言えごみ箱の内部が汚損した場合には清掃する必要があり、作業が面倒であった。
【０００４】
また、前記特許文献２に開示されたごみ箱は、図５に示すように、ごみ箱２０１の上縁部に多数形成されたＶ字開口２３１の適宜個数を選択して、複数のごみ袋２０２の上縁部を係止することで、ごみ箱２０１の内部を複数のごみ袋２０２により分別可能に構成したものである。このような構成により、ごみ袋２０２ごとごみを廃棄できるので、ごみ箱２０１が汚損することがなくなった。しかしながら、この従来例では、ごみ投入口が上部に露呈しており見苦しいのみならず、ごみ袋が脱落し易く、さらに、ごみ箱２０１内にＶ字開口２３１を形成する必要がある等、汎用のごみ箱の使用は不可能であった。
【０００５】
そこで本発明は、前記従来のごみ箱の諸課題を解決して、ごみ投入口が露呈せず見栄えがよく、ごみ箱内部に収容したごみ袋を確実に挟持でき、汎用のごみ箱が使用でき、より多種類のごみの分別を確実に行える分別式ごみ箱を提供することを目的とする。
【課題を解決するための手段】
【０００６】
そのため本発明は、上方が開放された適宜形状のごみ箱の上部に下方が開放された複数のごみ投入口が形成された投入アタッチメントが整合して嵌合される分別式ごみ箱において、前記投入アタッチメントとごみ箱との間に、前記投入アタッチメントにおけるごみ投入口に対応して複数のごみ袋の上縁部が係止される分割アタッチメントを介設したことを特徴とする。また本発明は、前記ごみ投入口を少なくとも前後２列配設したことを特徴とする。また本発明は、前記分割アタッチメントが、分別されるべき複数の区画に仕切られた分割枠を有し、これら分割枠間に分割溝が形成されたことを特徴とする。また本発明は、前記各分割枠の周囲に、該分割枠に収納されたごみ袋の上縁部を係止バンドにより係止するための係止バンド用係止溝が形成されたことを特徴とする。また本発明は、前記投入アタッチメントが、ごみ投入口に対応して分割縦壁により区画されるともに、これらの分割縦壁の下端縁が前記分割アタッチメントにおける分割溝に整合して係合されることを特徴とする。また本発明は、前記ごみ箱の内周壁に、前記分割枠に対応してごみ箱を仕切る仕切板用縦溝を形成したことを特徴とするもので、これらを課題解決のための手段とするものである。
【発明の効果】
【０００７】
本発明では、上方が開放された適宜形状のごみ箱の上部に下方が開放された複数のごみ投入口が形成された投入アタッチメントが整合して嵌合される分別式ごみ箱において、前記投入アタッチメントとごみ箱との間に、前記投入アタッチメントにおけるごみ投入口に対応して複数のごみ袋の上縁部が係止される分割アタッチメントを介設したことにより、投入アタッチメントにより、確実なごみの分別廃棄が可能になるとともに、分割アタッチメントの介設により、汎用のごみ箱を使用して、分別すべき数に応じて準備したごみ袋の上縁部を確実に保持できるとともに、多種類のごみの分別が確実に行える。そして、ごみの廃棄は分割アタッチメントの取出しのみにて処理が可能となる。また、前記ごみ投入口を少なくとも前後２列配設した場合は、ごみ投入口が少なくとも前後２列配設された投入アタッチメントを介して多種類のごみの分別廃棄が可能になるとともに、分割アタッチメントの介設により、分別すべき数に応じて準備したごみ袋の上縁部を確実に保持できるとともに、多種類のごみの分別が確実に行える。
【０００８】
また、前記分割アタッチメントが、分別されるべき複数の区画に仕切られた分割枠を有し、これら分割枠間に分割溝が形成された場合は、分割枠に収納された各ごみ袋の上縁部が前記分割溝内にて折り返すことができるとともに、該分割溝内に係止バンド等を挿入してごみ袋の上縁部を確実に係止させることが可能になる。さらに、前記各分割枠の周囲に、該分割枠に収納されたごみ袋の上縁部を係止バンドにより係止するための係止バンド用係止溝が形成された場合は、これらの係止バンド用係止溝に係止された係止バンドとの挟持により各ごみ袋の上縁部がさらに確実に分割枠に保持されるので、より多くのごみをごみ袋内に収容できる。
【０００９】
さらにまた、前記投入アタッチメントが、ごみ投入口に対応して分割縦壁により区画されるともに、これらの分割縦壁の下端縁が前記分割アタッチメントにおける分割溝に整合して係合される場合は、ごみ投入口に投入されたごみが他のごみと混じることがないのでごみを確実に分別することが可能になる。しかも、投入アタッチメントにおける分割縦壁の下端縁が、分割枠内に収容された各ごみ袋の上縁部を効果的に抑えることができるので、格別の係止具等がなくてもある程度のごみ袋保持機能を発揮させることができるばかりでなく、係止バンド等の併用によって、さらに確実なごみ袋保持機能が発揮される。また、前記ごみ箱の内周壁に、前記分割枠に対応してごみ箱を仕切る仕切板用縦溝を形成した場合は、仕切板用縦溝内に挿入された仕切板によって、ごみ袋内に収納廃棄されたごみによりごみ袋が膨らむことが規制されるので、ごみ袋の取出しを円滑にできる。
【発明を実施するための最良の形態】
【００１０】
以下、本発明の実施例を図面に基づいて詳細に説明する。図１から図３は本発明の分別式ごみ箱の１つの実施例を示すもので、図１は分別式ごみ箱の全体分解斜視図、図２は分別縦壁が示された投入アタッチメントの全体斜視図、図３は分割アタッチメントを利用して複数のごみ袋が収容された状態を示す全体斜視図である。本発明の分別式ごみ箱の基本的な構成は、図１に示すように、上方が開放された適宜形状のごみ箱１０の上部に下方が開放された複数のごみ投入口２１〜２５が形成された投入アタッチメント２０が整合して嵌合される分別式ごみ箱において、前記ごみ投入口を少なくとも前後２列配設するとともに、前記投入アタッチメント２０とごみ箱１０との間に、前記投入アタッチメント２０におけるごみ投入口２１〜２５に対応して複数のごみ袋１（図３）の上縁部が係止される分割アタッチメント３０を介設したことを特徴とする。
【００１１】
以下に詳述する。図１に示すように、上方が開放された適宜形状（図示に例では、平面視形状が方形であるが、円形や楕円形あるいは多角形であってもよい）のごみ箱１０の上部に、下方が開放された投入アタッチメント２０が整合（投入アタッチメント２０の平面視形状もごみ箱１０の平面視形状に対応させて、方形、円形、楕円形あるいは多角形であってもよい）して嵌合される。投入アタッチメント２０には、ごみ投入口が少なくとも前後２列配設される（ごみ投入口が１列であるものも本発明の範疇内にあることは言うまでもない）。例えば、図示の例では、前後２列のごみ投入口２１、２２および２３、２４、２５が配設される。投入アタッチメント２０の中央の段差部を境として、前方手前には第１傾斜面２０Ａが形成され、後方には第２傾斜面２０Ｂが形成される。これらの傾斜面において、第１傾斜面２０Ａには、びん投入口２３、ペットボトル投入口２４およびキャップ投入口２５が形成され、第２傾斜面２０Ｂにはアルミ缶投入口２１およびスチール缶投入口２２が形成される。投入アタッチメント２０の側面にも最寄りの対応したごみの投入口（例えば、キャップ投入口２５に近接する側面にはキャップ投入口２５’を、アルミ缶投入口２１に近接する側面にはアルミ缶投入口２１’）を形成してもよい。
【００１２】
一方、ごみ箱１０の上部開口１１には分割アタッチメント３０が整合して嵌合される。つまり、ごみ箱１０と前記投入アタッチメント２０との間に分割アタッチメント３０が介設される形態にて配設される。分割アタッチメント３０は、前記ごみ箱１０の上部開口１１の内周に整合するやや小径の嵌合部４１と、該嵌合部４１の上部に配設される分割枠３１〜３５とから構成される。これらの嵌合部４１と分割枠３１〜３５とは一体成形されてもよいし、別部材を連結して構成してもよい。分割アタッチメント３０における各分割枠３１〜３５は、前記投入アタッチメント２０におけるごみ投入口２１〜２５に対応（ほぼ直下の位置）して設置形成される。これら分割枠３１〜３５間には、それぞれ分割溝３６、３７、３８および３９が形成され、各分割枠３１〜３５に収納された各ごみ袋１（図３）の上縁部が前記分割溝３６〜３９内にて折り返し、分割溝内に係止バンド等を挿入してごみ袋の上縁部を確実に係止させることが可能になる。また、前記各分割枠３１〜３５の周囲には、これらの分割枠３１〜３５内に収納されたごみ袋１の上縁部を係止バンド２（図３）により係止するための係止バンド用係止溝４０が形成され、係止バンド用係止溝４０に係止された係止バンド２との挟持により各ごみ袋１の上縁部がさらに確実に分割枠に保持されるので、より多くのごみをごみ袋内に収容できることとなる。
【００１３】
ごみ箱１０の上部開口１１に嵌合部４１が嵌合された前記分割アタッチメント３０における分割枠３１〜３５の外周は、ごみ箱１０の外周と面一でもよいし、分割枠３１〜３５の外周に嵌合される前記投入アタッチメント２０の外周がごみ箱１０の外周と面一でもよい。その場合には、ごみ箱１０の板厚はやや厚く構成される。また、前記ごみ箱１０の内周壁には、前記分割枠３１〜３５に対応（分割溝３６〜３９のほぼ直下の位置に仕切板が位置する）してごみ箱１０を仕切る仕切板用縦溝１２が形成され、これらの仕切板用縦溝１２内に挿入された仕切板（図示省略）によって、ごみ袋１内に収納廃棄されたごみによりごみ袋１が妄りに膨らむことが規制されるので、ごみ袋１の取出しを円滑にできるものである。
【００１４】
図２は分別縦壁が示された投入アタッチメントの全体斜視図である。投入アタッチメント２０は、図示点線で示したように、ごみ投入口２１〜２５に対応（投入口を取り囲む形態）して分割縦壁２６、２７、２８および２９により区画されるともに、これらの分割縦壁２６〜２９の下端縁が前記分割アタッチメント３０における分割溝３６〜３９に整合して係合されるように構成される。このような構成により、各ごみ投入口２１〜２５に投入されたごみが他のごみと混じることがないのでごみを確実に分別することが可能になる。しかも、投入アタッチメント２０における分割縦壁２６〜２９の下端縁が、分割枠３１〜３５内に収容された各ごみ袋１の上縁部を効果的に抑えることができるので、格別の係止具等がなくてもある程度のごみ袋保持機能を発揮させることができるばかりでなく、係止バンド２等の併用によって、さらに確実なごみ袋保持機能が発揮される。言うまでもないが、前記傾斜面２０Ａ、２０Ｂを２以上形成して、さらにごみの分別種類を増加させる場合には、前後分別縦壁２７も複数個設置される。１つの傾斜面での分別種類を増加させる場合にも、２６、２８、２９等の左右分別壁を増加できる。
【００１５】
図３は分割アタッチメントを利用して複数のごみ袋が収容された状態を示す全体斜視図である。分割アタッチメント３０における各分割枠３１〜３５に収納されたごみ袋１の上縁部が分割溝３６〜３９（図１）内にて折り返され、これらの分割溝３６〜３９内に係止バンド（各分割枠３１〜３５の外周に対応した大きさの係止バンドを準備する）等を挿入してごみ袋１の上縁部を確実に係止させることが可能になる。図示の例では、前記投入アタッチメント２０における分割縦壁２６〜２９の下端縁が、分割溝３６〜３９内に整合して係合されることを想定して、分割アタッチメント３０の全周の係止バンド用係止溝４０に掛け渡される１本の大きな係止バンド２により、各ごみ袋１、１・・・の上縁部を保持するだけで、各分割枠３１〜３５内に収容された各ごみ袋１の上縁部を効果的に保持するものである。
【００１６】
以上、本発明の実施例について説明してきたが、本発明の趣旨の範囲内にて、ごみ箱の形状（ストレートの円筒形や方形筒状の他、上方に末広がりの逆円錐形状や逆角錐形状等でもよい。平面視形状も、楕円形や多角形でもよい）、形式およびその材質（鋼板、アルミ等の金属、プラスチック、木材等）、投入アタッチメントの形状（円形、角形等、ごみ箱の形状に適応した平面視形状、投入口が形成される傾斜面の数、傾斜角度、投入口の数、配列、投入口の形状、分別縦壁の形状、数、一体形成および別体構成等の設置形態、軽量化のためネット化等）、形式および材質（鋼板、アルミ等の金属、プラスチック、木材等）ならびにごみ箱との整合・嵌合形態（雌雄嵌合、溝への縁部の挿入等）、分割アタッチメントの形状（分割枠の形状についても分割アタッチメントの平面視形状に対応させて、方形に限定されず、円形や楕円あるいは多角形にすることもできる。係止バンド用係止溝の断面形状等も適宜設定できる。）、形式および材質ならびにごみ箱および投入アタッチメントとの嵌合形態、係止バンドの形状、形式および材質（ゴム、合成樹脂、硬質部材とスプリングとの交互連結部材等）、ごみ箱に挿入される仕切板の形状、形式および材質等については適宜選定できる。また、本発明の分別式ごみ箱を、側面にごみ投入口を形成した投入アタッチメントとごみ箱との積層体の最上部に設置することもできる。
【図面の簡単な説明】
【００１７】
【図１】本発明の分別式ごみ箱の１つの実施例を示すもので、分別式ごみ箱の全体分解斜視図である。
【図２】同、分別縦壁が示された投入アタッチメントの全体斜視図である。
【図３】同、分割アタッチメントを利用して複数のごみ袋が収容された状態を示す全体斜視図である。
【図４】第１従来例のごみ箱を示す全体斜視図である。
【図５】第２従来例のごみ箱を示す全体斜視図である。
【符号の説明】
【００１８】
１０      ごみ箱
１１      上縁開口
１２      仕切板用縦溝
２０      投入アタッチメント
２０Ａ    第１傾斜面
２０Ｂ    第２傾斜面
２１
〜２５    ごみ投入口
３０      分割アタッチメント
３１
〜３５    分割枠
３６
〜３９    分割溝
４０      係止バンド用係止溝
４１      嵌合部
【図１】
2006327751.tif 000003
【図２】
2006327751.tif 000004
【図３】
2006327751.tif 000005
【図４】
2006327751.tif 000006
【図５】
2006327751.tif 000007